(57)【要約】【課題】エンジンスイッチを操作する際、通常通信時の応答性を維持しつつ、非常通信時の応答性を向上させることができる。【解決手段】事前照合実行部１１ｂは、ドアの開閉から一定時間経過するまでの間、繰り返し、事前照合を行う。一定時間内に、イグニッションノブ１２の操作が行われず、一定時間経過後にイグニッションノブ１２の操作が行われたとき、事前照合実行部１１ｂは、再度電子キーＩＤの照合を行う。事前照合方式選択部１１ｅは、メモリ１１aに記憶された事前照合履歴および一定時間経過監視部１１ｄによる監視結果に基づいて、実施すべき電子キーのＩＤの照合方式を選択する。照合ＥＣＵ１１は、事前照合方式選択部１１ｅにより選択された照合方式で電子キーＩＤの照合を実行する。事前照合の履歴が「ＯＫ」であるとき、通常のスマート照合のみ行われる。事前照合履歴が「ＮＧ」であるとき、トランスポンダ照合のみ行われる。【選択図】図１
2014101024.tif 000002
【特許請求の範囲】
【請求項１】
車両電源を切り替える操作部が操作される前に電子キーが車内に存在することを確かめるため、特定の事象を契機として一定時間だけ行われる電子キーとの第１の無線通信を通じたＩＤ照合と、前記第１の無線通信の代替である第２の無線通信を通じたＩＤ照合とを実行する車載制御装置を備え、
前記車載制御装置は、前記ＩＤ照合が成立したとき前記操作部の操作を許可する一方、前記一定時間経過後に前記操作部が操作されたとき前記ＩＤ照合を再度実行する電子キーシステムにおいて、
前記車載制御装置は、前記第１の無線通信を通じたＩＤ照合の成否の履歴を保持する記憶部を備え、前記一定時間が経過した後に前記操作部が操作された際、前記記憶部に保持された履歴に基づき、再度のＩＤ照合を第１および第２の無線通信のいずれで行うかを選択することを特徴とする電子キーシステム。
【請求項２】
請求項１に記載の電子キーシステムにおいて、
前記車載制御装置は、前記一定時間内に前記操作部が操作された際、前記記憶部に記憶された履歴が前記第１の無線通信を通じたＩＤ照合成立を示すものであるとき、前記操作部の操作を許可する電子キーシステム。
【請求項３】
請求項１または請求項２に記載の電子キーシステムにおいて、
前記車載制御装置は、前記一定時間経過後に前記操作部が操作された際、前記記憶部に記憶された履歴が前記第１の無線通信を通じたＩＤ照合成立を示すものであるとき、前記再度のＩＤ照合を前記第１の無線通信で行う電子キーシステム。
【請求項４】
請求項１〜請求項３のうちいずれか一項に記載の電子キーシステムにおいて、
前記車載制御装置は、前記一定時間経過後に前記操作部が操作された際、前記記憶部に記憶された履歴が前記第１の無線通信を通じたＩＤ照合不成立を示すものであるとき、前記再度のＩＤ照合を前記第２の無線通信で行う電子キーシステム。
【請求項５】
請求項１〜請求項４のうちいずれか一項に記載の電子キーシステムにおいて、
前記車載制御装置は、前記一定時間内に前記操作部が操作された際、前記記憶部に記憶された履歴が前記第１の無線通信を通じたＩＤ照合不成立を示すものであるとき、前記第２の無線通信で前記ＩＤ照合を行う電子キーシステム。
【発明の詳細な説明】
【技術分野】
【０００１】
この発明は、電子キーシステムに関する。
【背景技術】
【０００２】
従来、たとえば特許文献１に記載される電子キーシステムが知られている。このシステムは、車両と携帯機との間の無線通信を通じてドアをアンロックしたり、エンジンの始動を許可したりする。当該システムでは、ドアがアンロックされた後にたとえば車両のドアが開けられると、携帯機との間でスマート通信とバックアップ通信とを一定期間だけ交互に繰り返して実行する。
【０００３】
スマート通信は、車両と携帯機との間で通常行われる通信である。すなわち、車両は応答要求を送信し、携帯機は内蔵された電池の電力を使用して応答要求に対して応答する。
バックアップ通信は、携帯機の電池が消耗していることを想定して行われる通信である。バックアップ通信時、携帯機はトランスポンダ方式、すなわち車両から送信される電波を動作電力として駆動して、車両からの応答要求に対して応答する。
【０００４】
そして、スマート通信またはバックアップ通信が成立したとき、エンジンの始動が許可される。この状態で、運転席近傍のエンジンスイッチが操作されると、エンジンが始動される。
【０００５】
なお、スマート通信時には単にエンジンスイッチを操作するだけでよい。これに対し、バックアップ通信時には携帯機をエンジンスイッチに近づけた状態でエンジンスイッチを操作する必要がある。これは、エンジン始動スイッチに設けられたコイルから携帯機を駆動させるための電波が送信されるからである。
【先行技術文献】
【特許文献】
【０００６】
【特許文献１】特開２００６−３７４９３号公報
【発明の概要】
【発明が解決しようとする課題】
【０００７】
上記システムによれば、確かに携帯機の電池が消耗している場合であれ、携帯機をエンジンスイッチに近づけるだけで、バックアップ通信を通じてエンジンの始動が許可される。
【０００８】
しかし、上記システムでは、たとえばドアが開けられた後、スマート通信、バックアップ通信の順に実施する。すなわち、スマート通信を試みたとき携帯機からの応答がなかったとき、バックアップ通信を行う。このため、携帯機の電池が消耗しているときには、スマート通信の成否の結果を待ち、このスマート通信が成立しない旨判断された後に、バックアップ通信が実行される。このため、通常のスマート通信を通じたエンジンの始動許可に比べて、バックアップ通信を通じたエンジンの始動許可には時間がかかる。すなわち、通常通信時に比べて、非常通信時の応答性は悪い。
【０００９】
この発明は、こうした実情に鑑みてなされたものであり、その目的は、エンジンスイッチを操作する際、通常通信時の応答性を維持しつつ、非常通信時の応答性を向上させることができる電子キーシステムを提供することにある。
【課題を解決するための手段】
【００１０】
以下、上記目的を達成するための手段及びその作用効果について説明する。
上記課題を解決する電子キーシステムは、車両電源を切り替える操作部が操作される前に電子キーが車内に存在することを確かめるため、特定の事象を契機として一定時間だけ行われる電子キーとの第１の無線通信を通じたＩＤ照合と、前記第１の無線通信の代替である第２の無線通信を通じたＩＤ照合とを実行する車載制御装置を備え、前記車載制御装置は、前記ＩＤ照合が成立したとき前記操作部の操作を許可する一方、前記一定時間経過後に前記操作部が操作されたとき前記ＩＤ照合を再度実行する電子キーシステムにおいて、前記車載制御装置は、前記第１の無線通信を通じたＩＤ照合の成否の履歴を保持する記憶部を備え、前記一定時間が経過した後に前記操作部が操作された際、前記記憶部に保持された履歴に基づき、再度のＩＤ照合を第１および第２の無線通信のいずれで行うかを選択する。
【００１１】
一定時間経過後に操作部が操作された際、たとえば第１および第２の無線通信によるＩＤ照合を順番に試みることも考えられる。この場合、事前の一定時間内に行われた第１の無線通信によるＩＤ照合が不成立であるときには、再度のＩＤ照合も不成立となる。この後、第２の無線通信によるＩＤ照合が行われる。すなわち、第１の無線通信によるＩＤ照合の成否の結果を待ってから、第２の無線通信によるＩＤ照合を実行することになる。このように、何らかの原因で第１の無線通信を通じたＩＤ照合が成立しない状況にある場合、再度のＩＤ照合に時間を要する。
【００１２】
この点、本構成によれば、一定時間経過後に操作部が操作された際、記憶部に記憶された履歴に基づき、再度のＩＤ照合を第１および第２の無線通信のいずれで行うかが選択される。このため、前述したように第１および第２の無線通信によるＩＤ照合を順番に試みる場合に比べて、再度のＩＤ照合が迅速に行われる。従って、一定時間経過後に操作部が操作された際の応答性を向上させることができる。また、ユーザが煩わしさを感じにくくなる。
【００１３】
上記電子キーシステムについて、前記車載制御装置は、前記一定時間内に前記操作部が操作された際、前記記憶部に記憶された履歴が前記第１の無線通信を通じたＩＤ照合成立を示すものであるとき、前記操作部の操作を許可することが好ましい。
【００１４】
この構成によれば、一定時間経過内に操作部が操作された場合に、第１の無線通信によるＩＤ照合が成立したときには即時に操作部の操作が許可される。よって、操作部が操作された際の照合の時間を短縮できる。
【００１５】
上記の電子キーシステムについて、前記車載制御装置は、前記一定時間経過後に前記操作部が操作された際、前記記憶部に記憶された履歴が前記第１の無線通信を通じたＩＤ照合成立を示すものであるとき、前記再度のＩＤ照合を前記第１の無線通信で行うことが好ましい。
【００１６】
このように、事前の一定時間内における第１の無線通信を通じたＩＤ照合が成立しているときには、正規の電子キーが車内に存在している、あるいは存在していたということである。また、電子キーは正常に第１の無線通信を行うことができる蓋然性も高い。このため、履歴が前記第１の無線通信を通じたＩＤ照合成立を示すものであるときには、第１の無線通信を通じて再度のＩＤ照合を行えばよい。
【００１７】
上記の電子キーシステムについて、前記車載制御装置は、前記一定時間経過後に前記操作部が操作された際、前記記憶部に記憶された履歴が前記第１の無線通信を通じたＩＤ照合不成立を示すものであるとき、前記再度のＩＤ照合を前記第２の無線通信で行うことが好ましい。
【００１８】
このように、事前の一定時間内における第１の無線通信を通じたＩＤ照合が不成立であるときには、何らかの原因により第１の無線通信が阻害されているおそれがある。このため、履歴が前記第１の無線通信を通じたＩＤ照合不成立を示すものであるときには、第２の無線通信を通じて再度のＩＤ照合を行うことが好ましい。
【００１９】
上記の電子キーシステムについて、前記車載制御装置は、前記一定時間内に前記操作部が操作された際、前記記憶部に記憶された履歴が前記第１の無線通信を通じたＩＤ照合不成立を示すものであるとき、前記第２の無線通信で前記ＩＤ照合を行うことが好ましい。
【００２０】
一定時間が経過する前に操作部が操作されることもある。この場合において、履歴が第１の無線通信を通じたＩＤ照合不成立を示すものであるときには、第１の無線通信の代替である第２の無線通信を通じて電子キーのＩＤ照合を行うことが可能である。
【発明の効果】
【００２１】
本発明によれば、エンジンスイッチを操作する際、通常通信時の応答性を維持しつつ、非常通信時の応答性を向上させることができる。
【図面の簡単な説明】
【００２２】
【図１】一実施形態の電子キーシステムの構成を示すブロック図。
【図２】同実施形態における電子キーシステムの通常操作時のタイミングチャート。
【図３】同実施形態における電子キーシステムのエマージェンシー操作時のタイミングチャート。
【図４】同実施形態における電子キーシステムの通常時およびエマージェンシー操作時に実施される照合の一覧を示す図。
【発明を実施するための形態】
【００２３】
以下、図１〜図４を参照して電子キーシステムを具体化した一実施形態を説明する。
＜システムの構成＞
図１に示すように、車両１には、車両１と電子キー２との間の双方向通信により電子キー２を認証する電子キーシステム３が設けられている。
【００２４】
電子キー２は、基本的には内蔵される電池（図示略）の電力を使用して動作する。電子キー２には、電子キー２の通信動作を管理するキー制御部２１が設けられている。キー制御部２１のメモリ２１ａには、電子キーＩＤが登録されている。キー制御部２１には、ＬＦ（Ｌｏｗ  Ｆｒｅｑｕｅｎｃｙ）帯の電波を受信するＬＦ受信機２２と、ＵＨＦ（Ｕｌｔｒａ  Ｈｉｇｈ  Ｆｒｅｑｕｅｎｃｙ）帯の電波を送信するＵＨＦ送信機２３と、トランスポンダ２４とが接続されている。ＬＦ受信機２２、ＵＨＦ送信機２３およびトランスポンダ２４は、それぞれキー制御部２１と接続されている。また、ＬＦ受信機２２は、ＬＦ受信アンテナ２２aに、ＵＨＦ送信機２３は、ＵＨＦ送信アンテナ２３aに接続されている。
【００２５】
トランスポンダ２４は、コイル及びＩＣチップ等からなるとともに、後述する車両１のイモビライザー通信機１２ａから送信される駆動信号を受けたときにコイルに生じる誘起電力を使用して駆動する。すなわち、トランスポンダ２４は、この誘起電力に基づき、電子キーＩＤを含むトランスポンダ応答信号ＳｔをＬＦ帯の無線信号としてイモビライザー通信機１２aに送信する。
【００２６】
車両１には、照合ＥＣＵ１１と、ドアの開閉状態を認識するとともに車載電装品の電源を管理するボディＥＣＵ１３と、エンジン１５の始動等を含むエンジン制御を行うエンジンＥＣＵ１４とが設けられ、これらは車内のバス１６を介して相互に接続されている。また、車両１には、イグニッションノブ１２が設けられている。なお、照合ＥＣＵ１１は、「車載制御装置」に、イグニッションノブ１２は、車両電源の切り替え時に操作される「操作部」に相当する。
【００２７】
イグニッションノブ１２は、ロータリー式のノブスイッチである。イグニッションノブ１２には、イモビライザー通信機１２ａと、ノブロックＥＣＵ１２ｂと、ノブ部１２ｄとが設けられている。イモビライザー通信機１２aおよびノブロックＥＣＵ１２ｂは、それぞれ照合ＥＣＵ１１に接続されている。また、ノブロックＥＣＵ１２ｂは、ロック装置１２ｃに接続されている。
【００２８】
イモビライザー通信機１２aは、電子キー２のトランスポンダ２４との間でイモビライザー通信（ＬＦ通信）が可能である。イモビライザー通信機１２aは、トランスポンダ２４を駆動させるための電波をイグニッションノブ１２（正確には、運転席に露出するノブ１２ｄ）の周辺に送信する。
【００２９】
ノブロックＥＣＵ１２ｂは、ロック装置１２ｃの制御を通じてイグニッションノブ１２を施錠または解錠する。イグニッションノブ１２は、ユーザにより操作される部分である。
【００３０】
照合ＥＣＵ１１には、ＬＦ帯の電波を車両の周辺に送信する車外ＬＦ送信機１８と、同じくＬＦ帯の電波を車室内に送信する車内ＬＦ送信機１７と、ＵＨＦ（Ｕｌｔｒａ  Ｈｉｇｈ  Ｆｒｅｑｕｅｎｃｙ）帯の電波を受信するＵＨＦ受信機１９とが接続されている。
【００３１】
照合ＥＣＵ１１は、不発揮性のメモリ１１aと、事前照合実行部１１ｂと、事前照合履歴保持部１１ｃと、一定時間経過監視部１１ｄと、事前照合方式選択部１１ｅとを有している。
【００３２】
メモリ１１ａには、電子キーＩＤが登録されている。
事前照合実行部１１ｂは、電子キー２との間の無線通信を通じて電子キー２が車内にあるかどうかを判定するための事前照合を行う。
【００３３】
事前照合履歴保持部１１ｃは、事前照合実行部１１ｂによる事前照合の履歴をメモリ１１ａに一時的に記憶させる。メモリ１１ａは、「記憶部」に相当する。
一定時間経過監視部１１ｄは、ドアの開閉から一定時間を経過しているか否かを監視する。一定時間経過監視部１１ｄは、自身の監視結果がメモリ１１aに記憶されている時間閾値を超えているか否かにより、ドア開閉から一定時間内であるか否かを判定する。
【００３４】
事前照合方式選択部１１ｅは、事前照合実行部１１ｂにおいて事前照合を行う際の照合方式を選択する。
車両１と電子キー２との間では、スマート通信（ＬＦ−ＵＨＦ）通信によって電子キーＩＤの照合（スマート照合）が実施される。
【００３５】
すなわち車両駐車時、照合ＥＣＵ１１は車外ＬＦ送信機１８を通じてＬＦ帯の無線信号であるリクエスト信号Ｓｒｑを車外に送信する。照合ＥＣＵ１１は、リクエスト信号Ｓｒｑに応答して電子キー２から送信されるＩＤ信号Ｓidを受信し、この受信されるＩＤ信号Ｓidに含まれる電子キーＩＤとメモリ１１ａに登録されている電子キーＩＤとの照合（車外スマート照合）を実施する。照合ＥＣＵ１１は、車外スマート照合が成立したとき、ボディＥＣＵ１３を通じてドアの解錠を許可、あるいは解錠を実行する。
【００３６】
また、照合ＥＣＵ１１はボディＥＣＵ１３を通じてドアの開閉が検出されると今度は、車内ＬＦ送信機１７を通じてリクエスト信号Ｓｒｑを車室内に送信し、車外と同様に車内スマート照合を実施する。このときのスマート照合が前述した事前照合である。照合ＥＣＵ１１は、車内スマート照合、すなわち事前照合が成立したとき、車内に電子キー２が存在しているとして、エンジンＥＣＵ１４を通じてエンジン１５の始動を許可する。また、事前照合が成立したとき、照合ＥＣＵ１１は、ノブロックＥＣＵ１２ｂを通じてロック装置１２ｃを動作させることにより、イグニッションノブ１２を解錠する。この状態で、イグニッションノブ１２（正確には、ノブ部１２ｄ）が操作されると、照合ＥＣＵ１１はエンジンＥＣＵ１４を通じてエンジン１５を始動させる。なお、事前照合は、「第１の無線通信を通じたＩＤ照合」に相当する。
【００３７】
さらに、車両１と電子キー２間では、イモビライザー通信（通信距離：10cm程度）による電子キーＩＤの照合（トランスポンダ照合）も実施される。なお、トランスポンダ照合は、「第２の無線通信に通じたＩＤ照合」に相当する。
【００３８】
このイモビライザー通信は、イモビライザー通信機１２ａから送信される電力電波を電子キー２の電源とする通信である。このため、電子キー２を電源レスで動作させることが可能である。なお、トランスポンダ照合は、電子キー２の電池が消耗したときなどの非常時に行われることを想定している。
【００３９】
次に、通常操作時およびエマージェンシー操作時における車内での電子キー２の認証処理について説明する。なお、通常操作とは、電子キー２の電池が十分であるときのイグニッションノブ１２を通じたエンジン１５の始動操作である。エマージェンシー操作とは、電子キー２の電池が消耗しているときのイグニッションノブ１２を通じたエンジン１５の始動操作である。
【００４０】
＜通常操作時＞
まず、通常操作時における車内での電子キー２の認証処理について説明する。
図２に示すように、また前述したように、事前照合は、車外スマート照合が成立した後、ドアの開閉が検出されることを契機として実行される。
【００４１】
事前照合実行部１１ｂは、ドアの開閉から一定時間が経過するまでの間、繰り返し事前照合を行う。この一連の事前照合のうち、いずれかが成立すると、事前照合履歴保持部１１ｃは、事前照合履歴を「ＯＫ」とし、当該事前照合履歴をメモリ１１ａに一時的に記憶させる。この事前照合履歴は、車両１の電源がオフにならない限り、メモリ１１ａに保持される。また前述したように、事前照合が成立したとき、照合ＥＣＵ１１は、エンジン１５の始動を許可するとともに、ロック装置１２ｃを通じてイグニッションノブ１２を解錠する。この状態で、イグニッションノブ１２が操作されると、エンジン１５が始動される。
【００４２】
ここで、事前照合が成立した場合であれ、一定時間内にイグニッションノブ１２が操作されないこともある。この場合、照合ＥＣＵ１１は、ノブロックＥＣＵ１２ｂを通じてイグニッションノブ１２を再び施錠する。このため、一定時間が経過した後に、イグニッションノブ１２が操作されたとき、照合ＥＣＵ１１は、再び電子キー２の認証を行う。
【００４３】
すなわち、一定時間経過後にイグニッションノブ１２が操作されたとき、事前照合方式選択部１１ｅは、メモリ１１ａに記憶された事前照合履歴に基づき電子キーＩＤの照合方式を選択する。すなわち、事前照合方式選択部１１ｅは、事前照合履歴が「ＯＫ」である場合、通常操作が行われるとして、イグニッションノブ１２の操作時の照合方式として車内スマート照合を選択する。照合ＥＣＵ１１は、車内スマート照合が成立したとき、ノブロックＥＣＵ１２ｂを通じてイグニッションノブ１２を解錠する。すなわち、イグニッションノブ１２の操作が許可される。
【００４４】
＜エマージェンシー操作＞
次に、エマージェンシー操作時における車内での電子キー２の認証処理について説明する。
【００４５】
前述したように、エマージェンシー操作は電子キー２の電池が消耗しているときなどに行われる。このため、図３に示すように、一定時間内に事前照合が成立することはない。このとき、事前照合履歴保持部１１ｃは、事前照合履歴を「ＮＧ」とし、当該事前照合履歴をメモリ１１ａに一時的に記憶させる。この事前照合履歴は、車両１の電源がオフにならない限り、メモリ１１ａに保持される。
【００４６】
一定時間内または一定時間が経過した後に、イグニッションノブ１２が操作されたとき、照合ＥＣＵ１１は、再び電子キー２の認証を行う。すなわち、事前照合方式選択部１１ｅは、メモリ１１ａに記憶された事前照合履歴に基づき電子キーＩＤの照合方式を選択する。すなわち、事前照合方式選択部１１ｅは、事前照合履歴が「ＮＧ」である場合、エマージェンシー操作が行われるとして、イグニッションノブ１２の操作時の照合方式としてトランスポンダ照合を選択する。照合ＥＣＵ１１は、トランスポンダ照合が成立したとき、ノブロックＥＣＵ１２ｂを通じてイグニッションノブ１２を解錠する。すなわち、イグニッションノブ１２の操作が許可される。
【００４７】
このように、イグニッションノブ１２が操作されたとき、事前照合方式選択部１１ｅにより選択される電子キーＩＤの照合方式は、事前照合の実施状態および事前照合履歴によって異なる。
【００４８】
すなわち、図４に示すように、事前照合実施中（ドアの開閉から一定時間内）にイグニッションノブ１２が操作されたとき、事前照合履歴が「ＯＫ」であれば、イグニッションノブ１２が操作されたときの照合は行われない。
【００４９】
また、ドアの開閉から一定時間経過後にイグニッションノブ１２が操作されたとき、事前照合履歴が「ＯＫ」であれば、車内スマート照合が選択される。イグニッションノブ１２が操作されたとき、即時に車内スマート照合のみが実施されることにより、通常操作時の応答性がよい。
【００５０】
一方、事前照合履歴が「ＮＧ」であれば、事前照合実施中（一定時間内）であるかどうかに関係なく、イグニッションノブ１２が操作されたときの照合は、常にトランスポンダ照合が選択される。イグニッションノブ１２が操作されたとき、即時にトランスポンダ照合のみが実施されることにより、エマージェンシー操作時の応答性がよい。
【００５１】
以上、説明した実施形態によれば、以下の効果を奏することができる。
（１）事前照合方式選択部１１ｅは、一定時間経過監視部１１ｄの監視結果および事前照合履歴保持部１１ｃの事前照合履歴に基づき、イグニッションノブ１２が操作されたときの電子キーＩＤの照合方式を選択する。これにより、通常操作時の応答性を維持しつつ、エマージェンシー操作時の電子キー２の応答性を改善することができる。すなわち、従来の操作部（エンジンスイッチ）が操作された際の照合方法、すなわちスマート照合の結果を待ってからバックアップ照合を実施する方法に比べて、応答性を向上させることができる。また、エマージェンシー操作時の応答性が向上したため、ユーザが煩わしさを感じにくくなる。
【００５２】
（２）事前照合履歴保持部１１ｃにより事前照合の履歴を一定時間経過後においても保持する。これにより、事前照合履歴に基づき、事前照合方式選択部１１ｅは、イグニッションノブ１２が操作されたときの電子キーＩＤの照合方式を即時に選択することができる。よって、イグニッションノブ１２が操作されたときの電子キーＩＤの照合時間を短縮できる。
【００５３】
＜他の実施の形態＞
なお、上記実施形態は、これを適宜変更した以下の形態にて実施することができる。
・本例では、一定時間経過後にイグニッションノブ１２が操作された場合、事前照合の履歴が「ＯＫ」であるときの電子キーＩＤの照合方式は、車内スマート照合としているが、この車内スマート照合は行わなくてもよい。この場合、事前照合履歴を基に判定する。すなわち、照合ＥＣＵ１１は、事前照合履歴が「ＯＫ」であることを認識すると、イグニッションノブ１２が操作されたときの照合を実施せずに、ノブロックＥＣＵ１２ｂを通じてイグニッションノブ１２のロックを解錠する。一方、照合ＥＣＵ１１は、事前照合履歴が「ＮＧ」であることを認識すると、イグニッションノブ１２が操作されたときの照合としてトラポン照合を実施する。これにより、本実施形態の（１）,（２）と同様な効果が得られる。また、照合ＥＣＵ１１は、イグニッションノブ１２が操作されたときの照合は、事前照合履歴が「ＮＧ」のときのみ実施するため、通常操作時の応答性をさらに向上することができる。
【００５４】
・本例において事前照合履歴の更新は、常に最新の照合結果で履歴を更新してもよい。
・本例において、一定時間内に照合が成立したとき、その照合結果を事前照合履歴として保持し、その後の一定時間内における車内スマート照合を行わないようにしてもよい。従って、本実施形態の（１）,（２）と同様な効果が得られる。
【００５５】
・本例での一定時間、正確にはメモリ１１ａに記憶されている時間閾値は、適宜に変更してもよい。
・バックアップ照合機能は、トラポンに代えて、他の近距離無線通信システムに変更してもよい。たとえば、ＮＦＣ通信、赤外線、ＴｒａｎｓｆｅｒＪｅｔにしてもよい。この場合、たとえば電子キー２の電池はあるが、何らかの原因でスマート照合をできないときに対応することができる。
【００５６】
・イグニッションノブ１２は、ロータリー式スイッチではなく、たとえばブッシュ式スイッチにしてもよい。
次に、前記実施形態から把握できる技術的思想をその効果と共に追記する。
【００５７】
（イ）前記車載制御装置は、前記一定時間経過後に前記操作部が操作された際、前記記憶部に記憶された履歴が前記第１の無線通信を通じたＩＤ照合成立を示すものであるとき、前記再度のＩＤ照合を行うことなく前記操作部の操作を許可すること。
【００５８】
この構成によれば、前記一定時間経過後に前記操作部が操作された際、再度のＩＤ照合が行われない。このため、操作部が操作された際の照合の時間をさらに短縮することができる。
【符号の説明】
【００５９】
１…車両、２…電子キー、３…電子キーシステム、１１ｂ…事前照合履歴実行部、１１ｃ…事前照合履歴保持部、１１ｄ…一定時間経過監視部、１１e…事前照合方式選択部１１ｅ。
【図１】
2014101024.tif 000003
【図２】
2014101024.tif 000004
【図３】
2014101024.tif 000005
【図４】
2014101024.tif 000006